(57)【要約】【課題】ペットシートを一枚ごとにその容器から取出すことを容易にすることである。【解決手段】ペット用シート装置１は巻回された帯状のペット用シート部材２と、この巻回された帯状のペット用シート部材２を収納する容器１０を備えている。容器１０には容器１０を開閉する蓋１５が設けられ、ペット用シート部材２には、その長手方向を横切る切り取り線２ｅが複数形成され、ペット用シート部材２において切り取り線２ｅにより区画された部分の各々は一枚のペット用シート２ｈになりうるものであり、容器１０内に収納されたペット用シート部材２の一部分を容器１０の外側に引っ張り出した状態で、切り取り線２ｅは蓋１５の縁１７で切断可能である。【選択図】        図２
2005065517.tif 000002
【特許請求の範囲】
【請求項１】
巻回された帯状のペット用シート部材と、この巻回された帯状のペット用シート部材を収納する容器を備えたペット用シート装置であって、
前記容器には前記容器を開閉する蓋が設けられ、
前記帯状のペット用シート部材には、その長手方向を横切る線状の切断可能部分が複数形成され、前記複数の切断可能部分が一枚のペット用シートになりうる部分を区画し、
前記容器内に巻回状態で収納された前記帯状のペット用シート部材の一部分を前記容器の外側に引っ張り出した状態で、前記線状の切断可能部分は前記蓋の縁で切断可能であることを特徴とするペット用シート装置。
【請求項２】
請求項１に記載したペット用シート装置であって、
前記ペット用シート部材をその長手方向を横切る線状の切断可能部分に沿って切断することにより形成された一枚のペット用シートは、不透液性のベースシートと、このベースシートに貼付された吸水層を備え、
前記吸水層には、緑茶の粉末が含まれていることを特徴とするペット用シート装置。
【請求項３】
請求項１に記載したペット用シート装置であって、
前記ペット用シート部材をその長手方向を横切る線状の切断可能部分に沿って切断することにより形成された一枚のペット用シートは、不透液性のベースシートと、前記ベースシートに貼付もしくは前記ベースシートに重ねて配置された吸水層と、前記吸水層上に散在する緑茶の粉末と、前記緑茶の粉末および前記吸水層を被うように前記ベースシートに貼付された通水性シートとを備えていることを特徴とするペット用シート装置。
【発明の詳細な説明】
【０００１】
【発明の属する技術分野】
本発明は、ペット用シート装置に関し、特に、犬、猫等のペットに使用するペット用シートを一枚ごとにその容器から容易に取出すことができるペット用シート装置に関するものである。
【０００２】
【従来の技術】
犬、猫等のペットを家庭等で飼う場合に、ペットの糞、尿等の排泄物の処理が大変である。このため、ペットの排泄物を処理するために、ペット用シートが床などに敷かれて使用されている。このペット用シートは、通常ペットの大きさに適した大きさの長方形のシート状のものである。（例えば非特許文献１）
【０００３】
【非特許文献１】
インターネットの「楽天市場」に掲載された株式会社紙装の「ペット用シート宅配サービスの店」の広告（２００３年５月２日検索）
【０００４】
【発明が解決しようとする課題】
しかし、上記従来例では、ペット用シートが一枚ごとに切り離されているので、通常何枚ものペット用シートが重ねられてビニールシート等で梱包されている。このため、ペット用シートを使用するときに、梱包状態のペット用シートから、ペット用シートを一枚ごとに取出すことが煩雑であった。
そこで、本発明が解決しようとする課題は、ペット用シートを一枚ごとにその容器から取出すことを容易にすることである。
【０００５】
【課題を解決するための手段】
上記課題を解決するため、請求項１記載の発明は、巻回された帯状のペット用シート部材と、この巻回された帯状のペット用シート部材を収納する容器を備えたペット用シート装置であって、前記容器には前記容器を開閉する蓋が設けられ、前記帯状のペット用シート部材には、その長手方向を横切る線状の切断可能部分が複数形成され、前記複数の切断可能部分が一枚のペット用シートになりうる部分を区画し、前記容器内に巻回状態で収納された前記帯状のペット用シート部材の一部分を前記容器の外側に引っ張り出した状態で、前記線状の切断可能部分は前記蓋の縁で切断可能であることを特徴とするペット用シート装置である。
これにより、巻回された帯状のペット用シート部材がペット用シート装置の容器に収容され、このペット用シート部材の長手方向を横切る線状の切断可能部分が複数形成されているので、このペット用シート部材の一部分を前記容器の外側に引っ張り出した状態で、前記帯状のペット用シート部材の長手方向を横切る線状の切断可能部分を前記蓋の縁で切断すると、前記帯状のペット用シート部材において前記線状の切断可能部分により区画された部分が一枚のペット用シートになる。
【０００６】
さらに、請求項２記載の発明は、請求項１に記載した発明において、前記ペット用シート部材をその長手方向を横切る線状の切断可能部分に沿って切断することにより形成された一枚のペット用シートは、不透液性のベースシートと、このベースシートに貼付された吸水層を備え、前記吸水層には、緑茶の粉末が含まれていることである。
これにより、前記ペット用シート部材をその長手方向を横切る線状の切断可能部分に沿って切断することにより形成された一枚のペット用シート各々の吸水層がペットの排泄物の水分を吸収し、不透液性のベースシートが吸水層に吸水された排泄物の水分の吸水層からの流出を防ぎ、吸水層に含まれている緑茶の粉末が吸水層に吸収された排泄物の水分の臭いを消すことができる。
【０００７】
さらに、請求項３記載の発明は、請求項１に記載した発明において、前記ペット用シート部材をその長手方向を横切る線状の切断可能部分に沿って切断することにより形成された一枚のペット用シートは、不透液性のベースシートと、前記ベースシートに貼付もしくは前記ベースシートに重ねて配置された吸水層と、前記吸水層上に散在する緑茶の粉末と、前記緑茶の粉末および前記吸水層を被うように前記ベースシートに貼付された通水性シートとを備えていることである。
これにより、通水性シートが吸水層上に散在している緑茶の粉末を吸水層上に固定し、さらに吸水層をベースシートに固定する。そして、前記排泄物の水分が通水性シートを通過して吸水層に吸収される。このため、請求項２記載の発明と同様に、前記ペット用シート部材をその長手方向を横切る線状の切断可能部分に沿って切断することにより形成された一枚のペット用シート各々の吸水層がペットの排泄物の水分を吸収し、不透液性のベースシートが吸水層に吸水された排泄物の水分の吸水層からの流出を防ぎ、吸水層に含まれている緑茶の粉末が吸水層に吸収された排泄物の水分の臭いを消すことができる。
【０００８】
【発明の実施の形態】
以下、本発明における実施の形態を図面に基づいて説明する。図１は、本発明の実施の形態に係るペット用シート装置を示し、図２は図１のペット用シート装置の蓋を開いた状態を示し、図３は図１のペット用シート装置の容器を示し、図４は図１のペット用シート装置のペット用シート部材を示し、図５は図４のペット用シート部材のＶ−Ｖ断面を示す。
【０００９】
図１に示すように、ペット用シート装置１は芯材３に巻かれた帯状のペット用シート部材２（図４参照）と、このペット用シート部材２を収納する容器１０を備えている。容器１０は、容器本体１１とこの容器本体１１を開閉する蓋１５を備えている（図２参照）。容器本体１１は長方形の箱状であり、その側壁１２のうち容器本体１１の前記長方形の短辺に相当する部分のそれぞれには一対の切欠１３ａ、１３ｂが形成されている。そして、この切欠１３ａ、１３ｂに芯材３の両端部が係止されている。
また、蓋１５はヒンジ部１６を介して側壁１２のうち容器本体１１の前記長方形の長辺に相当する部分の一方の上端部に連設され、側壁１２のうち前記長方形の長辺に相当する部分の他方の上端部には、折り曲げ部１４が連設されている（図２、図３参照）。
【００１０】
ペット用シート部材２のベースシート２ａおよび通水性シート２ｄ（図５参照）には、その長手方向を横切る線状の切り取り線２ｅ（請求項の「切断可能部分」に相当する。）が複数形成されている。ここで、この切り取り線２ｅは、ペット用シート部材２のベースシート２ａおよび通水性シート２ｄにミシン目状に切込を形成したものである。そして、ペット用シート部材２において切り取り線２ｅにより区画された部分の各々は一枚のペット用シート２ｈになりうるものである。
容器本体１１内に収納されたペット用シート部材２の先端部２ｆを図１の矢印２ｇ方向に引っ張って、ペット用シート部材２を巻き戻して容器本体１１の外側に引っ張り出した状態で、切り取り線２ｅは蓋１５の縁１７で切断可能である。
【００１１】
ペット用シート部材２をその切り取り線２ｅに沿って切断することにより形成された一枚のペット用シート２ｈは、図５に示すように、不透液性のベースシート２ａと、このベースシート２ａに熱圧着、接着等により貼付された吸水層２ｂを備えている。そして、緑茶の粉末２ｃは吸水層２ｂ上に散在し、緑茶の粉末２ｃおよび吸水層２ｂを被う通水性シート２ｄがベースシート２ａに熱圧着、接着等により貼付されている。なお、通水性シート２ｄにより吸水層２ｂの位置を固定できる場合は、吸水層２ｂはベースシート２ａに貼付されず単にベースシート２ａ上に配置されているのみでもよい。
【００１２】
上記構成のペット用シート装置１の使用方法は以下のようになる。
巻かれた帯状のペット用シート部材２が容器本体１０に収容され、このペット用シート部材２の長手方向を横切る切り取り線２ｅが複数形成されているので、ペット用シート部材２の一部分となる先端部２ｆを矢印２ｇの方向に巻き戻して折り曲げ部１４に沿って容器本体１１の外側に引っ張り出した状態で、切り取り線２ｅを蓋１５の縁１７で切すると、ペット用シート部材２において切り取り線２ｅにより区画された部分が一枚のペット用シート２ｈになる。その際、芯材３の両端部が切欠１３ａ、１３ｂで支えられているので、ペット用シート部材２の上記巻き戻しが容易になる。
さらに、一枚のペット用シート２ｈ各々の吸水層２ｂがペットの排泄物の水分を吸収し、不透液性のベースシート２ａが吸水層２ｂに吸水された排泄物の水分が吸水層２ｂから流れ出ることを防ぐ。
さらに、吸水層２ｂに含まれている緑茶の粉末２ｃが吸水層２ｂに吸収された排泄物の水分の臭いを消すことができる。なお、この場合、緑茶の粉末に含まれるポリフェノールが消臭効果を有している。また、緑茶は、食品の一種であるので、人やペットの犬、猫などにも無害のものであるので、その取扱いが容易である。さらに、緑茶の粉末２ｃの香りが吸水層２ｂの近傍に漂うので、これによっても消臭効果がある。
さらに、通水性シート２ｄが吸水層２ｂ上に散在している緑茶の粉末２ｃを固定し、前記排泄物の水分が通水性シート２ｄを通過して吸水層２ｂに吸収される。
【００１３】
なお、本発明の上記実施の形態においては、側壁１２に切欠１３ａ、１３ｂが形成され、側壁１２に折り曲げ部１４が連設されているが、これに限定されず、切欠１３ａ、１３ｂおよび折り曲げ部１４を省くことができる。図６はこの場合の実施の形態の変形例に係るペット用シート装置を示す。図６に示すペット用シート装置では、第１の実施の形態のペット用シート部材２を上記実施の形態の芯材３より短い芯材４に巻いて使用し、さらに、その容器２０が第１の実施の形態の容器１０の変形例になっている。
容器２０は、容器本体２１および容器本体２１を開閉する蓋２５を備えている。蓋２５は第１の実施の形態と同様にヒンジ部２６を介して容器本体２１の側壁２２の上端部に連設され、蓋２５には上記実施の形態と同様の切断用の縁２７が形成されているが、容器本体２１の側壁２２には、上記実施の形態の切欠１３ａ、１３ｂに相当するものが形成されていないし、また、上記実施の形態の折り曲げ部１４に相当するものが連設されていない。
また、緑茶の粉末２ｃは吸水層２ｂ上に振り掛けられているが、これに限定されず、緑茶の粉末２ｃまたは緑茶を吸水層２ｂの中に織り込んでもよい。
【００１４】
【発明の効果】
請求項１記載の発明に係るペット用シート装置によれば、ペット用シートを一枚ごとにその容器から取出すことが容易になる。
さらに、請求項２記載の発明によれば、請求項１記載の発明の効果とともに、ペットの排泄物の水分の臭いを消すことができる。
さらに、請求項３記載の発明によれば、請求項１記載の発明の効果とともに、ペットの排泄物の水分の臭いを消すことができるとともに、消臭用の緑茶の粉末を吸水層に固定することが容易になる。
【図面の簡単な説明】
【図１】本発明の実施の形態に係るペット用シート装置の斜視図である。
【図２】図１のペット用シート装置の蓋を開いた状態を示す斜視図である。
【図３】図１のペット用シート装置の容器を示す斜視図である。
【図４】図１のペット用シート装置のペット用シート部材を示す斜視図である。
【図５】図４のペット用シート部材のＶ−Ｖ断面を示す断面図である。
【図６】図１の実施の形態の変形例に係るペット用シート装置の斜視図である。
【符号の説明】
１  ペット用シート装置
２  ペット用シート部材
２ａ  ベースシート
２ｂ  吸水層
２ｃ  緑茶の粉末
２ｄ  通水性シート
２ｅ  切り取り線
２ｈ  ペット用シート
１０  容器
１１  容器本体
１５  蓋
１７  蓋の縁
２０  容器
２１  容器本体
２５  蓋
２７  蓋の縁
【図１】
2005065517.tif 000003
【図２】
2005065517.tif 000004
【図３】
2005065517.tif 000005
【図４】
2005065517.tif 000006
【図５】
2005065517.tif 000007
【図６】
2005065517.tif 000008